(57)【要約】【課題】等化器からの出力を利用し、送信側で発生するアナログ誤差を補正する無線受信機には、等化器が動作状態になければ正確な制御信号が利用できない、それに伴う等化器の特性が劣化する、等化器出力からのフィードバック回路が必要になる及び受信側で生じたアナログ誤差を補正するための逆位相補正回路が必要であるという課題があった。そこで、本発明は、等化器の出力を利用せず受信側及び送信側のアナログ誤差を補正できる無線受信機を提供することを目的とする。【解決手段】本発明に係る無線受信機は、受信側及び送信側のアナログ誤差を等化器の出力とは関連なく発生させたリファレンス信号に基づき適応的に補正する。【選択図】図２
2008244918.tif 000002
【特許請求の範囲】
【請求項１】
直交変調方式の無線信号を直交検波して２系統のディジタル信号を出力する直交検波部と、
受信側誤差補正器、キャリア位相補正器、送信側誤差補正器、等化器、キャリア位相フィードバック器及びリファレンス信号発生器を有し、前記直交検波部が出力する２系統のディジタル信号を前記受信側誤差補正器、前記キャリア位相補正器、前記送信側誤差補正器、前記等化器の順で経由させてディジタル復調するディジタル復調部と、
を備える無線受信機であって、
前記受信側誤差補正器は、前記直交検波部から入力される２系統のディジタル信号と前記リファレンス信号発生器で発生したリファレンス信号とを比較し、前記直交検波部から入力される２系統のディジタル信号について前記直交検波部で生じた受信側誤差を適応的に補正し、
前記キャリア位相補正器は、前記キャリア位相フィードバック器からの位相補正信号に基づき、前記受信側誤差補正器から入力される２系統のディジタル信号について搬送波の位相誤差を補正し、
前記送信側誤差補正器は、前記キャリア位相補正器から入力される２系統のディジタル信号と前記リファレンス信号発生器で発生したリファレンス信号とを比較し、前記キャリア位相補正器から入力される２系統のディジタル信号について前記直交検波部が直交検波する前記無線信号に含まれる送信側誤差を適応的に補正し、
前記等化器は、前記送信側誤差補正器から入力される２系統のディジタル信号の信号歪を補正して２系統のディジタル信号を出力し、
前記キャリア位相フィードバック器は、前記等化器が出力する２系統のディジタル信号の位相誤差を検出し、前記位相誤差を補正する前記位相補正信号を生成して前記キャリア位相補正器へフィードバックすることを特徴とする無線受信機。
【請求項２】
前記リファレンス信号発生器は、前記無線信号の変調方式に基づき前記直交検波部が出力する２系統のディジタル信号の理想信号を算出し、前記理想信号をリファレンス信号として出力することを特徴とする請求項１に記載の無線受信機。
【請求項３】
前記受信側誤差補正器及び前記送信側誤差補正器がそれぞれ補正する前記受信側誤差及び前記送信側誤差は、ＤＣオフセット、振幅アンバランス及び直交度誤差であり、
前記受信側誤差補正器及び前記送信側誤差補正器は、
入力される２系統のディジタル信号についてそれぞれの直流成分と前記リファレンス信号発生器で発生したリファレンス信号の直流成分との差分であるＤＣ差分を検出し、前記ＤＣ差分を適応的に補正するＤＣ補正信号を前記直交検波部からの２系統のディジタル信号のそれぞれにフィードバックしてＤＣオフセットを低減するＤＣオフセット補正回路と、
前記ＤＣオフセット補正回路からの２系統のディジタル信号についてそれぞれの振幅の２乗値と前記リファレンス信号発生器で発生したリファレンス信号の振幅の２乗値との差分である振幅差分を検出し、前記振幅差分を適応的に補正する振幅補正信号を前記ＤＣオフセット補正回路からの２系統のディジタル信号のそれぞれにフィードバックして振幅アンバランスを低減する振幅補正回路と、
前記振幅補正回路からの２系統のディジタル信号の電力の和と前記リファレンス信号発生器で発生したリファレンス信号の電力との差分である電力差分を検出し、前記電力差分を適応的に補正する電力差分補正信号を前記振幅補正回路からの２系統のディジタル信号のそれぞれにフィードバックして直交度誤差を低減する直交度誤差補正回路と、
をそれぞれ有することを特徴とする請求項１又は２に記載の無線受信機。
【発明の詳細な説明】
【技術分野】
【０００１】
本発明は、直交変調方式を利用した無線通信システムに用いる無線受信機に関する。
【背景技術】
【０００２】
ＱＰＳＫ及び多値ＱＡＭ方式等の直交変調方式を利用した無線通信システムにおいて、アナログ回路の誤差等の装置不完全性は準同期検波方式の無線受信機における符号誤り率（ＢＥＲ）に影響を及ぼす。アナログ回路による誤差（以下、「アナログ回路による誤差」を「アナログ誤差」と略記する。）はキャリアリークの原因となるＤＣオフセット、イメージリークの原因となる振幅アンバランス及び直交度誤差である。これらアナログ誤差には送信側で発生するものと受信側で発生するものがある。送信側で発生するアナログ誤差は無線送信機で補正する技術が知られている（例えば、特許文献１を参照。）。
【０００３】
送信側で発生するアナログ誤差は無線送信機で補正する場合、ＤＣオフセットの検出による補正では周波数変換器で発生するローカル周波数のリーク分が検出できないという課題がある。また、フィードバック回路が必要でありコストがかかるという課題もある。また、変調側ローカルとフィードバック用ローカルとを同期させるという課題もある。さらに、ディジタル直交検波のため、アナログ‐ディジタル変換器（Ａ／Ｄ）のサンプリング周波数が固定のままで、シンボルレートが速くなるとＡ／Ｄによる折り返し成分の影響が出るという課題がある。
【０００４】
そのため、送信側で発生するアナログ誤差を無線受信機で補正する技術が紹介されている（例えば、特許文献２及び３）。受信側のアナログ誤差はキャリア再生前の位相回転がある信号に基づいて補正することが可能である一方、送信側のアナログ誤差への補正はキャリア再生後の位相回転のない信号に対してする必要がある。そのため、特許文献２及び３の無線受信機は、搬送波の位相を補正する手段の前段において受信側で生ずるＤＣオフセット及び振幅アンバランスを補正し、後段において送信側で生ずるＤＣオフセット及び振幅アンバランスを補正している。
【特許文献１】特開平０９−３２１８１５号公報
【特許文献２】特開平１０−０４１９９２号公報
【特許文献３】特許３４５１３９８号
【発明の開示】
【発明が解決しようとする課題】
【０００５】
引用文献２及び３の無線受信機は、等化器の出力信号又は識別信号を参照信号として受信側及び送信側のＤＣオフセット及び振幅アンバランスの補正を行っている。このように等化器からの出力を利用しているため、従来の送信側で発生するアナログ誤差を補正する無線受信機には、等化器が動作状態になければ正確な制御信号が利用できない、それに伴う等化器の特性が劣化する、等化器出力からのフィードバック回路が必要になる及び受信側で生じたアナログ誤差を補正するための逆位相補正回路が必要であるという課題があった。
【０００６】
そこで、前記課題を解決するため本発明は、等化器の出力を利用せず受信側及び送信側のアナログ誤差を補正できる無線受信機を提供することを目的とする。
【課題を解決するための手段】
【０００７】
前記の課題を解決するために、本発明に係る無線受信機は、等化器の出力を利用しないリファレンス信号を発生させ、受信側及び送信側のアナログ誤差を前記リファレンス信号に基づき適応的に補正することとした。
【０００８】
具体的には、本発明に係る無線受信機は、直交変調方式の無線信号を直交検波して２系統のディジタル信号を出力する直交検波部と、受信側誤差補正器、キャリア位相補正器、送信側誤差補正器、等化器、キャリア位相フィードバック器及びリファレンス信号発生器を有し、前記直交検波部が出力する２系統のディジタル信号を前記受信側誤差補正器、前記キャリア位相補正器、前記送信側誤差補正器、前記等化器の順で経由させてディジタル復調するディジタル復調部と、を備える無線受信機であって、前記受信側誤差補正器は、前記直交検波部から入力される２系統のディジタル信号と前記リファレンス信号発生器で発生したリファレンス信号とを比較し、前記直交検波部から入力される２系統のディジタル信号について前記直交検波部で生じた受信側誤差を適応的に補正し、前記キャリア位相補正器は、前記キャリア位相フィードバック器からの位相補正信号に基づき、前記受信側誤差補正器から入力される２系統のディジタル信号について搬送波の位相誤差を補正し、前記送信側誤差補正器は、前記キャリア位相補正器から入力される２系統のディジタル信号と前記リファレンス信号発生器で発生したリファレンス信号とを比較し、前記キャリア位相補正器から入力される２系統のディジタル信号について前記直交検波部が直交検波する前記無線信号に含まれる送信側誤差を適応的に補正し、前記等化器は、前記送信側誤差補正器から入力される２系統のディジタル信号の信号歪を補正して２系統のディジタル信号を出力し、前記キャリア位相フィードバック器は、前記等化器が出力する２系統のディジタル信号の位相誤差を検出し、前記位相誤差を補正する前記位相補正信号を生成して前記キャリア位相補正器へフィードバックすることを特徴とする。
【０００９】
本発明に係る無線受信機では、前記リファレンス信号発生器は、前記無線信号の変調方式に基づき前記直交検波部が出力する２系統のディジタル信号の理想信号をリファレンス信号として出力することができる。復調後のディジタル信号を理想値に近づけることができる。
【００１０】
本発明に係る無線受信機では、前記受信側誤差補正器及び前記送信側誤差補正器がそれぞれ補正する前記受信側誤差及び前記送信側誤差は、ＤＣオフセット、振幅アンバランス及び直交度誤差であり、前記受信側誤差補正器及び前記送信側誤差補正器は、入力される２系統のディジタル信号についてそれぞれの直流成分と前記リファレンス信号発生器で発生したリファレンス信号の直流成分との差分であるＤＣ差分を検出し、前記ＤＣ差分を適応的に補正するＤＣ補正信号を前記直交検波部からの２系統のディジタル信号のそれぞれにフィードバックしてＤＣオフセットを低減するＤＣオフセット補正回路と、前記ＤＣオフセット補正回路からの２系統のディジタル信号についてそれぞれの振幅の２乗値と前記リファレンス信号発生器で発生したリファレンス信号の振幅の２乗値との差分である振幅差分を検出し、前記振幅差分を適応的に補正する振幅補正信号を前記ＤＣオフセット補正回路からの２系統のディジタル信号のそれぞれにフィードバックして振幅アンバランスを低減する振幅補正回路と、前記振幅補正回路からの２系統のディジタル信号の電力の和と前記リファレンス信号発生器で発生したリファレンス信号の電力との差分である電力差分を検出し、前記電力差分を適応的に補正する電力差分補正信号を前記振幅補正回路からの２系統のディジタル信号のそれぞれにフィードバックして直交度誤差を低減する直交度誤差補正回路と、をそれぞれ有することが好ましい。キャリアリークの原因となるＤＣオフセット、イメージリークの原因となる振幅アンバランス及び直交度誤差を独立して補正できる。
【発明の効果】
【００１１】
本発明は、リファレンス信号を利用するため、等化器の出力を利用せず受信側及び送信側のアナログ誤差を補正できる無線受信機を提供することができる。また、本発明に係る無線受信機は、等化器の出力を利用していないので、出荷時の固定の補正値では不可能であったアナログ部品の温度による特性変化や経年変化にも対応することができる。
【発明を実施するための最良の形態】
【００１２】
添付の図面を参照して本発明を詳細に説明する。以下に説明する実施の形態は本発明の構成の例であり、本発明は、以下の実施の形態に制限されるものではない。なお、本明細書及び図面において符号が同じ構成要素は、それぞれ同一のものを示すものとする。
【００１３】
（実施形態１）
図１は、本実施形態に係る無線受信機５００の構成を示したブロック図である。無線受信機５００は、直交検波部１０、ディジタル復調部２０を備える。ディジタル復調部２０は受信側誤差補正器２１、キャリア位相補正器２２、送信側誤差補正器２３、等化器２４、キャリア位相フィードバック器２５及びリファレンス信号発生器２６を有する。
【００１４】
無線受信機５００は、図示しない直交変調方式の無線送信機からの無線信号を受信し、中間周波数に変換してＩＦ信号とする。直交検波部１０は、ＩＦ信号を準同期検波で直交検波してＩ−ｃｈ及びＱ−ｃｈの２系統のディジタル信号を出力する。
【００１５】
無線受信機５００は、ディジタル復調部２０で前記２系統のディジタル信号をディジタル復調するため、前記２系統のディジタル信号を受信側誤差補正器２１、キャリア位相補正器２２、送信側誤差補正器２３、等化器２４の順で経由させる。
【００１６】
リファレンス信号発生器２６は、無線信号の変調方式に基づき直交検波部１０が出力する２系統のディジタル信号の理想信号を算出し、理想信号をリファレンス信号として出力する。理想信号は、無線信号の変調方式からシミュレーション結果を元に算出した理想的なディジタル信号である。
【００１７】
無線受信機５００は、直交検波部１０からの２系統のディジタル信号を受信側誤差補正器２１に入力し、受信側で発生したアナログ誤差である受信側誤差を補正する。具体的には、受信側誤差補正器２１は、直交検波部１０から入力される２系統のディジタル信号とリファレンス信号発生器２６で発生したリファレンス信号とを比較し、直交検波部１０から入力される２系統のディジタル信号について直交検波部１０で生じた受信側誤差を適応的に補正する。
【００１８】
続いて、無線受信機５００は、キャリア位相補正器２２で２系統のディジタル信号について搬送波の位相補正を行う。無線受信機５００は、等化器２４から出力される２系統のディジタル信号をフィードバックして搬送波の位相補正を行う。具体的には、キャリア位相フィードバック器２５は、等化器２４が出力する２系統のディジタル信号の位相誤差を検出し、位相誤差を補正する位相補正信号を生成してキャリア位相補正器２２へフィードバックする。キャリア位相補正器２２は、キャリア位相フィードバック器２５からの位相補正信号に基づき、受信側誤差補正器２１から入力される２系統のディジタル信号について搬送波の位相誤差を補正する。
【００１９】
続いて、無線受信機５００は、送信側誤差補正器２３で２系統のディジタル信号について送信側で発生したアナログ誤差である送信側誤差を補正する。キャリア位相補正器２２によって搬送波に位相誤差のない２系統のディジタル信号となっているため、送信側誤差補正器２３は２系統のディジタル信号について送信側誤差を補正できる。具体的には、送信側誤差補正器２３は、キャリア位相補正器２２から入力される２系統のディジタル信号とリファレンス信号発生器２６で発生したリファレンス信号とを比較し、キャリア位相補正器２２から入力される２系統のディジタル信号について直交検波部１０が直交検波する無線信号に含まれる送信側誤差を適応的に補正する。
【００２０】
等化器２４は、送信側誤差補正器２３から入力される２系統のディジタル信号の信号歪を補正して２系統のディジタル信号を出力する。無線受信機５００では、２系統のディジタル信号について等化器２４の入力前に受信側及び送信側のアナログ誤差を補正している。そのため、等化器２４の特性劣化を防止することができる。
【００２１】
このような構成の無線受信機５００は、等化器の出力を利用せず受信側及び送信側のアナログ誤差を補正しており、初期引き込み時や同期外れの状態でもアナログ誤差を正しく補正することができる。その結果、等化器の特性劣化を防止でき、搬送波の同期が容易となる。
【００２２】
図２は、本実施形態に係る無線受信機６００の構成を示したブロック図である。無線受信機６００は図１の無線受信機５００の構成をより具体的に示したブロック図である。無線受信機６００は、直交検波部１０Ａ、ディジタル復調部２０Ａを備える。無線受信機６００が補正するアナログ誤差はＤＣオフセット、振幅アンバランス及び直交度である。
【００２３】
直交検波部１０Ａは、図１の直交検波部１０で説明した機能を実現するための一例である。直交検波部１０Ａは、ゲイン調整器１０１、ハイブリッド１０２、乗算器１０３、ローパスフィルタ（ＬＰＦ）１０４、アナログ‐デジタル変換器（Ａ／Ｄ）１０５、局部発振器１０６、ＰＬＬ（Ｐｈａｓｅ  Ｌｏｃｋｅｄ  Ｌｏｏｐ）１０７及び９０°位相差分変換器１０８を有する。
【００２４】
ハイブリッド１０２は入力信号を２つに分岐して出力する。局部発振器１０６は直交検波部１０Ａに入力されるＩＦ信号の周波数ｆＩＦを作るための基準参照周波数ｆｒｅｆを発振する。ＰＬＬ１０７は出力の周波数がｆＩＦとなるようにロックする回路である。９０°位相差分変換器１０８はＰＬＬ１０７からの出力を２系統に分岐し、２系統の信号の位相が直交するように位相差を調整する。乗算器１０３は９０°位相差分変換器１０８の出力とハイブリッド１０２からの出力とを乗算する。乗算器１０３からの出力をＬＰＦ１０４を通過させることでＩＦ信号のＩ相（Ｉ−ｃｈ）及びＱ相（Ｑ−ｃｈ）が得られる。直交検波部１０Ａは、これをＡ／Ｄ１０５でディジタル変換して出力する。なお、出力した信号の電力を電力検出器２９で検出してゲイン調整器１０１へフィードバックしても良い。図２のＩＦＡＧＣは、電力検出器２９からゲイン調整器１０１へのフィードバック信号である。
【００２５】
ディジタル復調部２０Ａは、図１のディジタル復調部２０で説明した機能を実現するための一例である。ディジタル復調部２０Ａは、図１のディジタル復調部２０で説明したものの他にロールオフフィルタ（ＲＯＦ）２８及び硬判定器２７を有する。
【００２６】
ＲＯＦ２８は、直交検波部１０Ａから入力された２系統のディジタル信号をフィルタリングし、受信側誤差補正器２１へ出力する。硬判定器２７は等化器２４の出力について硬判定する。
【００２７】
無線受信機６００は、直交検波部１０Ａで生じたＤＣオフセット、振幅アンバランス及び直交度誤差を補正するため、受信側誤差補正器２１にＤＣオフセット補正回路（ＡＤＣ１）２１１、振幅補正回路（ＡＬＣ１）２１２及び直交度誤差補正回路（ＡＱＣ１）２１３を含む。
【００２８】
ＤＣオフセット補正回路２１１は、入力される２系統のディジタル信号についてそれぞれの直流成分とリファレンス信号発生器２６で発生したリファレンス信号ｒｅｆの直流成分との差分であるＤＣ差分を検出し、ＤＣ差分を適応的に補正するＤＣ補正信号を直交検波部１０Ａからの２系統のディジタル信号のそれぞれにフィードバックしてＤＣオフセットを低減する。
【００２９】
図３は、ＤＣオフセット補正回路２１１の一例を示したブロック図である。ＤＣオフセット補正回路２１１は、入力端３１５、加算器３１４、出力端３１６、誤差検出部３１１、乗算器３１２及び補正値更新部３１３を持つ。入力端３１５から入力されるディジタル信号は加算器３１４でＤＣ補正信号を加算されて出力端３１６から出力される。
【００３０】
誤差検出部３１１は、出力端３１６におけるディジタル信号について直流成分と図１で説明したリファレンス信号発生器２６で発生したリファレンス信号ｒｅｆの直流成分との差分であるＤＣ差分を検出する。リファレンス信号ｒｅｆの直流成分が０のときはリファレンス信号ｒｅｆの入力を省略してもよい。誤差検出部３１１は、検出したＤＣ差分を正負の誤差符号として出力する。
【００３１】
乗算器３１２は、誤差検出部３１１から出力される誤差符号に対して、補正量の基準となるステップサイズμ及び誤差量を反転して補正量に変換する“−１”を乗算し、適応的に単位補正量を出力する。
【００３２】
補正値更新部３１３は、乗算器３１２からの単位補正量と過去のＤＣ補正信号とを積分してＤＣ補正信号の更新を行う。補正値更新部３１３は、更新されたＤＣ補正信号を加算器３１４へ出力する。
【００３３】
以上の説明のように、ＤＣオフセット補正回路２１１は直交検波部１０Ａで生じたＤＣオフセットを適応的に補正することができる。
【００３４】
振幅補正回路２１２は、ＤＣオフセット補正回路２１１からのディジタル信号についてそれぞれの振幅の２乗値とリファレンス信号発生器２６で発生したリファレンス信号の振幅の２乗値（ｒｅｆ  ａｍｐ２）との差分である振幅差分を検出し、前記振幅差分を適応的に補正する振幅補正信号をＤＣオフセット補正回路２１１からのディジタル信号のそれぞれにフィードバックして振幅アンバランスを低減する。
【００３５】
図４は、振幅補正回路２１２の一例を示したブロック図である。振幅補正回路２１２は、入力端３２５、乗算器３２４、出力端３２６、２乗部３２７、加算器３２８、誤差検出部３２１、乗算器３２２及び補正値更新部３２３を持つ。図３で説明したＤＣオフセット補正回路２１１からのディジタル信号は入力端３２５に入力され、乗算器３２４で振幅補正信号が乗算されて出力端３２６から出力される。
【００３６】
２乗部３２７は、出力端３２６におけるディジタル信号の振幅値を２乗した２乗振幅信号を出力する。加算器３２８は、２乗振幅信号からリファレンス信号の振幅の２乗値（ｒｅｆ  ａｍｐ２）を減算する。誤差検出部３２１は、ディジタル信号の振幅誤差である加算器３２８からの出力を正負の誤差符号として出力する。乗算器３２２は図３の乗算器３２１と同様に適応的に単位補正量を出力する。補正値更新部３２３は、乗算器３２２からの単位補正量と過去の振幅補正信号とを積分して振幅補正信号の更新を行う。補正値更新部３２３は、更新された振幅補正信号を乗算器３２４へ出力する。
【００３７】
以上の説明のように、振幅補正回路２１２は直交検波部１０Ａで生じた振幅アンバランスを適応的に補正することができる。
【００３８】
直交度誤差補正回路２１３は、振幅補正回路２１２からの２系統のディジタル信号の電力の和（ｏｕｔ  ｐｏｗ）とリファレンス信号発生器２６で発生したリファレンス信号の電力（ｒｅｆ  ｐｏｗ）との差分である電力差分を検出し、前記電力差分を適応的に補正する電力差分補正信号を振幅補正回路２１２からの２系統のディジタル信号のそれぞれにフィードバックして直交度誤差を低減する。
【００３９】
図５は、直交度誤差補正回路２１３の一例を示したブロック図である。直交度誤差補正回路２１３は、入力端３３５−ｉ、入力端３３５−ｑ、加算器３３４−ｉ、加算器３３４−ｑ、乗算器３４２−ｉ、乗算器３４２−ｑ、出力端３３６−ｉ、出力端３３６−ｑ、符号部３４１−ｉ、符号部３４１−ｑ、２乗部３３７−ｉ、２乗部３３７−ｑ、加算器３４０、加算器３３８、乗算器３３９、誤差検出部３３１、乗算器３３２及び補正値更新部３３３を持つ。２つの振幅補正回路２１２からのディジタル信号はそれぞれ入力端３３５−ｉ及び入力端３３５−ｑに入力され、加算器３３４−ｉ及び加算器３３４−ｑで直交補正信号が加算されて出力端３３６−ｉ及び出力端３３６−ｑから出力される。
【００４０】
２乗部３３７−ｉ及び２乗部３３７−ｑは、それぞれ出力端３３６−ｉ及び出力端３３６−ｑにおけるディジタル信号の振幅値を２乗した２乗振幅信号を出力する。符号部３４１−ｉ及び符号部３４１−ｑは、それぞれ出力端３３６−ｉ及び出力端３３６−ｑにおけるディジタル信号の正負の符号を出力する。加算器３４０は、２乗部３３７−ｉ及び２乗部３３７−ｑの出力を加算し、２系統のディジタル信号の電力の和（ｏｕｔ  ｐｏｗ）として出力する。加算器３３８は、２系統のディジタル信号の電力の和（ｏｕｔ  ｐｏｗ）からリファレンス信号の電力（ｒｅｆ  ｐｏｗ）を減算する。乗算器３３９は、加算器３３８の出力に符号部３４１−ｉ及び符号部３４１−ｑからの符号を乗算する。誤差検出部３３１は、２系統のディジタル信号の直交誤差である乗算器３３９からの出力を正負の誤差符号として出力する。
【００４１】
乗算器３３２は図３の乗算器３２１と同様に適応的に単位補正量を出力する。補正値更新部３３３は、乗算器３３２からの単位補正量と過去の直交補正値とを積分して直交補正値の更新を行う。補正値更新部３３３は、更新された直交補正値を乗算器３４２−ｉ及び乗算器３４２−ｑへ出力する。乗算器３４２−ｉは、補正値更新部３３３からの更新された直交補正値と入力端３３５−ｑにおけるディジタル信号とを乗算し、直交補正信号として加算器３３４−ｉへ出力する。乗算器３４２−ｑは、補正値更新部３３３からの更新された直交補正値と入力端３３５−ｉにおけるディジタル信号とを乗算し、直交補正信号として加算器３３４−ｑへ出力する。
【００４２】
以上の説明のように、直交度誤差補正回路２１３は直交検波部１０Ａで生じた直交度誤差を適応的に補正することができる。
【００４３】
無線受信機６００は、送信側誤差補正器２３にＤＣオフセット補正回路（ＡＤＣ２）２３１、振幅補正回路（ＡＬＣ２）２３２及び直交度誤差補正回路（ＡＱＣ２）２３３を含む。ＤＣオフセット補正回路２３１は、図３で説明したＤＣオフセット補正回路２１１と同様に動作し、送信側で発生したＤＣオフセットを適応的に補正する。振幅補正回路２３２は、図３で説明した振幅補正回路２１２と同様に動作し、送信側で発生した振幅アンバランスを補正する。直交度誤差補正回路２３３は、図３で説明した直交度誤差補正回路２１３と同様に動作し、送信側で発生した直交度誤差を補正する。
【００４４】
図２には、等化器２４が出力する２系統のディジタル信号の位相誤差を検出する位相誤差検出回路２５１、前記位相誤差を平均化する位相誤差平均化回路２５２及び前記位相誤差を補正する位相補正信号を生成する位相制御回路２５３を含むキャリア位相フィードバック器２５の一例を示している。
【００４５】
無線受信機６００は、以上のような構成とすることで、図１で説明した無線受信機５００のように無線信号の受信側及び送信側で生ずるアナログ誤差を適応的に補正して復調することができる。
【産業上の利用可能性】
【００４６】
本発明は、直交変調方式などを用いた無線システムに利用することができる。
【図面の簡単な説明】
【００４７】
【図１】本発明に係る無線受信機の構成を示したブロック図である。
【図２】本発明に係る無線受信機の構成を示したブロック図である。
【図３】ＤＣオフセット補正回路の一例を示したブロック図である。
【図４】振幅補正回路の一例を示したブロック図である。
【図５】直交度誤差補正回路の一例を示したブロック図である。
【符号の説明】
【００４８】
５００、６００  無線受信機
１０、１０Ａ  直交検波部
１０１  ゲイン調整器
１０２  ハイブリッド
１０３  乗算器
１０４  ローパスフィルタ（ＬＰＦ）
１０５  アナログ‐デジタル変換器（Ａ／Ｄ）
１０６  局部発振器
１０７  ＰＬＬ（Ｐｈａｓｅ  Ｌｏｃｋｅｄ  Ｌｏｏｐ）
１０８  ９０°位相差分変換器
２０、２０Ａ  ディジタル復調部
２１  受信側誤差補正器
２１１  ＤＣオフセット補正回路（ＡＤＣ１）
２１２  振幅補正回路（ＡＬＣ１）
２１３  直交度誤差補正回路（ＡＱＣ１）
２２  キャリア位相補正器
２３  送信側誤差補正器
２３１  ＤＣオフセット補正回路（ＡＤＣ２）
２３２  振幅補正回路（ＡＬＣ２）
２３３  直交度誤差補正回路（ＡＱＣ２）
２４  等化器
２５  キャリア位相フィードバック器
２５１  位相誤差検出回路
２５２  位相誤差平均化回路
２５３  位相制御回路
２６  リファレンス信号発生器
２７  硬判定器
２８  ロールオフフィルタ（ＲＯＦ）
２９  電力検出器
３１５、３２５、３３５−ｉ、３３５−ｑ  入力端
３１４、３２８、３３４−ｉ、３３４−ｑ、３３８、３４０  加算器
３１６、３２６、３３６−ｉ、３３６−ｑ  出力端
３１１、３２１、３３１  誤差検出部
３１２、３２２、３２４、３３２、３３９、３４２−ｉ、３４２−ｑ  乗算器
３１３、３２３、３３３  補正値更新部
３２７、３３７−ｉ、３３７−ｑ  ２乗部
３４１−ｉ、３４１−ｑ  符号部
【図１】
2008244918.tif 000003
【図２】
2008244918.tif 000004
【図３】
2008244918.tif 000005
【図４】
2008244918.tif 000006
【図５】
2008244918.tif 000007